(57)【要約】【課題】泡を生成して放射する端末の消火機器の部分以外の、これらに泡水溶液を送出する機構部分を単一の機構で賄うことができるように構成する。【解決手段】貯水槽５と消火薬剤貯蔵タンク６とに接続された混合器７の二次側配管８を分岐せしめ、分岐した一方側の配管８Ａを高発泡機９を用いた高発泡消火機器に接続する。他方側の配管８Ｂをフォームヘッド１０を用いた低発泡消火機器に接続する。これら配管８Ａと配管８Ｂとで送液圧力が異なる場合に、高い方の圧力に従って送液し、低い方の配管には減圧弁１１を用いて調圧するようにする。【選択図】図１
2008279157.tif 000002
【特許請求の範囲】
【請求項１】
高発泡消火機器による防護区画と低発泡消火機器による防護区画とが併存する防火対象施設に備える泡消火装置であって、貯水槽と消火薬剤貯蔵タンクとに接続された混合器の二次側配管を分岐せしめ、分岐した一方側の配管を高発泡消火機器に接続すると共に、他方側の配管を低発泡消火機器に接続することにより、貯水槽内の水を混合器に圧送するポンプ、消火薬剤貯蔵タンク及び混合器を共用できるようにしたことを特徴とする泡消火装置。
【請求項２】
高発泡消火機器による防護区画と低発泡消火機器による防護区画とが併在する防火対象施設に備える泡消火装置であって、貯水槽と消火薬剤貯蔵タンクとに接続された混合器の二次側配管を分岐せしめ、分岐した一方側の配管を高発泡消火機器に接続すると共に、他方側の配管を低発泡消火機器に接続し、これら高発泡消火機器への配管と低発泡消火機器への配管とで送液圧力が異なる場合に、高い方の圧力に従って送液し、低い方の配管には減圧弁等を用いて調圧するようになした請求項１記載の泡消火装置。
【請求項３】
消火薬剤が高発泡と低発泡の両方に使用可能な泡消火薬剤である請求項１又は２記載の泡消火装置。
【請求項４】
防火対象施設における高発泡消火機器による防護区画が機械式立体駐車場であり、低発泡消火機器による防護区画が平面駐車場である請求項１、２又は３記載の泡消火装置。
【請求項５】
防火対象施設における高発泡消火機器による防護区画が棚を備えた立体式商品保管場であり、低発泡消火機器による防護区画が平面式商品保管場である請求項１、２又は３記載の泡消火装置。
【発明の詳細な説明】
【技術分野】
【０００１】
本発明は泡消火装置に関し、更に詳細には、高発泡消火機器による防護区画としての機械式立体駐車場と低発泡消火機器による防護区画としての平面駐車場とが併設された屋内駐車場施設等に備える泡消火装置に係わる。
【背景技術】
【０００２】
機械式立体駐車場（垂直循環式立体駐車場、多層循環式立体駐車場）と平面駐車場とが併設された屋内駐車場施設にあっては、これらに発生した火災を消火するための消火装置を備えている。
【０００３】
また、斯かる従来の消火装置は、水と泡消火薬剤とを混合した泡水溶液に空気を含ませて低発泡の泡を生成し、これを放射するフォームヘッドを用いた低発泡消火機器による消火装置であり、機械式立体駐車場と平面駐車場のいずれにも斯かる低発泡消火装置を用いている。尚、機械式立体駐車場と平面駐車場の夫々に用いる低発泡消火機器への泡水溶液の送出機構は別々に構成されている。
【０００４】
しかし、斯かる従来の泡消火装置の場合には、これを機械式立体駐車場に設置するときにおいて、フォームヘッドを各段に設置しなければならず、而も狭い空間で作業しなければならないから、コストの面において高くつく上に、手間と時間がかかり過ぎるという問題点がある。
【０００５】
そこで、図２に示す如く、平面駐車場には上記と同様のフォームヘッドを用いた低発泡消火機器による消火装置を用いる一方、機械式立体駐車場には二酸化炭素や窒素を用いるガス放出式の消火装置を用いたものも存在する。
【０００６】
図２において１００は機械式立体駐車場１０１と平面駐車場１０２とが併設された屋内駐車場施設である。また、１０３は貯水槽１０４と消火薬剤貯蔵タンク１０５に接続された混合器１０６の二次側配管１０７を、フォームヘッド１０８、１０８、１０８・・・からなる低発泡消火機器に接続してなる低発泡消火装置であり、平面駐車場１０２に用いている。尚、１０９は貯水槽１０４内の水１１０を混合器１０６に圧送するポンプ、１１１は混合器１０６の二次側配管１０７に設けた流水検知装置、１１２は一斉開放弁である。また、消火薬剤貯蔵タンク１０５内の消火薬剤は、低発泡用水成膜泡消火薬剤である。また、１１３はガス貯蔵容器１１４、１１４、１１４・・・と、該ガス貯蔵容器１１４、１１４に配管１１５を介して接続されたガス噴射ヘッド１１６とからなるガス放出式の消火装置であり、機械式立体駐車場１０１に用いている。
【０００７】
斯かる場合には、前記機械式立体駐車場にもフォームヘッドを用いた低発泡消火機器による消火装置を用いる場合の問題点を解消することはできるが、ガス貯蔵容器１１４を大量に収容する必要があることから、相当なスペースを要し、また別途工事となるためコストアップになるという問題点がある。
【０００８】
そこで、図３に示す如き、平面駐車場にはフォームヘッドを用いた低発泡消火機器による低発泡消火装置を用い、また機械式立体駐車場には高発泡機を用いた高発泡消火機器による高発泡消火装置を用いたものも実施されている。
【０００９】
図３において図２に示したものにおける施設及び装置と同一のものには同一の符号を付している。また、図３において機械式立体駐車場１０１に用いている高発泡消火装置１１７は、高発泡機を用いた高発泡消火機器を用いる他は低発泡消火装置１０３と同様である。即ち、貯水槽１１８と消火薬剤貯蔵タンク１１９に接続された混合器１２０の二次側配管１２１を、高発泡機１２２を用いた高発泡消火機器に接続してなるものである。尚、１２３は貯水槽１１８内の水１２４を混合器１２０に圧送するポンプ、１２５は混合器１２０の二次側配管１２１に設けた流水検知装置である。また、消火薬剤貯蔵タンク１１９内の消火薬剤は、高発泡用泡消火薬剤である。
【００１０】
而して、機械式立体駐車場１０１において火災が発生すると、感知器１２９に連動して、或いは起動押しボタン１３０の操作によって泡消火装置１１７が作動を開始する。そして、ポンプ１２３をもって貯水槽１１８内の水１２４が圧送され、また一方これと同時に消火薬剤貯蔵タンク１１９内の消火薬剤が混合器１２０に送り込まれる。そして混合器１２０によって水と消火薬剤が比例混合された泡水溶液は、配管１２１を通って一斉開放弁１２７に至る。一斉開放弁１２７は、感知器１２９の作動、或いは起動押しボタン１３０の操作に連動して自動開放弁１２８が開放することにより開放し、泡水溶液は高発泡機１２２を用いた高発泡消火機器に送出される。そして高発泡機１２２において空気を含ませて高発泡の泡を生成し、機械式立体駐車場１０１内に放射するものである。そしてこの泡の充満による空気遮断作用と冷却作用により消火するものである。
【００１１】
斯かる場合には、前記図２に示した機械式立体駐車場にガス放出式の消火装置を用いた場合における問題点を解消することができるが、泡を生成して放出する端末の消火機器の部分を除いて全く同一の泡水溶液の送出機構を備えなければならず、設置のためのコストと設置スペースの面から改善が要望されていた。
【発明の開示】
【発明が解決しようとする課題】
【００１２】
本発明は上記の点に鑑みなされたものであって、高発泡消火機器による防護区画としての機械式立体駐車場と低発泡消火機器による防護区画としての平面駐車場とが併設された屋内駐車場施設等に備える泡消火装置として、泡を生成して放射する端末の消火機器の部分以外の、これらに泡水溶液を送出する機構部分を単一の機構で賄うことができるように構成し、もって上記従来における各端末の消火機器に別々に泡水溶液の送出機構を備える場合の問題点を悉く解消することができるようになした泡消火装置を提供せんとするものである。
【課題を解決するための手段】
【００１３】
而して、本発明の要旨とするところは、高発泡消火機器による防護区画と低発泡消火機器による防護区画とが併存する防火対象施設に備える泡消火装置であって、貯水槽と消火薬剤貯蔵タンクとに接続された混合器の二次側配管を分岐せしめ、分岐した一方側の配管を高発泡消火機器に接続すると共に、他方側の配管を低発泡消火機器に接続することにより、消火用ポンプ、消火薬剤貯蔵タンク及び混合器を共用できるようにしたことを特徴とする泡消火装置にある。
【００１４】
また、高発泡消火機器による防護区画と低発泡消火機器による防護区画とが併存する防火対象施設に備える泡消火装置であって、貯水槽と消火薬剤貯蔵タンクとに接続された混合器の二次側配管を分岐せしめ、分岐した一方側の配管を高発泡消火機器に接続すると共に、他方側の配管を低発泡消火機器に接続し、これら高発泡消火機器への配管と低発泡消火機器への配管とで送液圧力が異なる場合に、高い方の圧力に従って送液し、低い方の配管には減圧弁等を用いて調圧するようになした泡消火装置をもその要旨とするものである。
【００１５】
また、上記構成において、それに用いる消火薬剤としては、高発泡と低発泡の両方に使用可能な泡消火薬剤が好ましい。
【００１６】
また、上記構成において、防火対象施設における高発泡消火機器による防護区画としては機械式立体駐車場或いは棚を備えた立体式商品保管場であり、また低発泡消火機器による防護区画としては平面駐車場或いは平面式商品保管場であることが好ましい。
【発明の効果】
【００１７】
本発明は、上記の如き構成であり、泡を生成して放射する端末の消火機器の部分以外の、これらに泡水溶液を送出する機構部分を単一の機構で賄うことができるように構成したものであるから、上記従来における各端末の消火機器に別々に泡水溶液の送出機構を備える場合の問題点を悉く解消することができるものである。即ち、設置のためのコストを大幅に軽減し、且つまた設置スペースも大幅に縮小することができるものである。
【発明を実施するための最良の形態】
【００１８】
本発明を実施するための最良の形態は、貯水槽と消火薬剤貯蔵タンクとに接続された混合器の二次側配管を分岐せしめ、分岐した一方側の配管を高発泡消火機器に接続すると共に、他方側の配管を低発泡消火機器に接続することにより、貯水槽内の水を混合器に圧送するポンプ、消火薬剤貯蔵タンク及び混合器を共用できるようにした点にある。更に、貯水槽と消火薬剤貯蔵タンクとに接続された混合器の二次側配管を分岐せしめ、分岐した一方側の配管を高発泡消火機器に接続すると共に、他方側の配管を低発泡消火機器に接続し、これら高発泡消火機器への配管と低発泡消火機器への配管とで送液圧力が異なる場合に、高い方の圧力に従って送液し、低い方の配管には減圧弁等を用いて調圧するようになした点も特徴とする。
【実施例】
【００１９】
以下、本発明の実施例について説明する。
図１は本発明の実施例に係る泡消火装置の概略的説明図である。
【００２０】
図中、１は高発泡消火機器による防護区画としての機械式立体駐車場２と低発泡消火機器による防護区画としての平面駐車場３とが併設された屋内駐車場施設である。
【００２１】
４は前記屋内駐車場施設１に備える泡消火装置であり、前記機械式立体駐車場２と平面駐車場３の両方を防護するものである。
【００２２】
また、該泡消火装置４は、貯水槽５と消火薬剤貯蔵タンク６とに接続された混合器７の二次側配管８を分岐せしめ、分岐した一方側の配管８Ａを、機械式立体駐車場２に設置した高発泡機９を用いた高発泡消火機器に接続すると共に、他方側の配管８Ｂを、平面駐車場３に設置したフォームヘッド１０、１０、１０・・・を用いた低発泡消火機器に接続し、これら高発泡機９を用いた高発泡消火機器への配管８Ａとフォームヘッド１０、１０、１０・・・を用いた低発泡消火機器への配管８Ｂとで送液圧力が異なる場合に、高い方の圧力に従って送液し、低い方の配管には減圧弁１１等を用いて調圧するようになしたものである。尚、本実施例においては減圧弁１１をフォームヘッド１０、１０、１０・・・を用いた低発泡消火機器への配管８Ｂの途中部（後記流水検知装置の二次側）に設けているが、例えば、斯かるフォームヘッド１０、１０、１０・・・を用いた低発泡消火機器への配管８Ｂが長く且つまた多くの個数のフォームヘッド１０を設置しなければならない場合には、該配管８Ｂへの泡水溶液の送液圧力を、高発泡機９を用いた高発泡消火機器へ配管８Ａへの送液圧力よりも高くしなければならなくなり、したがってこの場合には、減圧弁１１を配管８Ａの途中部（後記流水検知装置の二次側）に設けるようにするものである。
【００２３】
また、１２は貯水槽５内の水１３を混合器７に圧送するポンプ、１４、１５は分岐した配管８Ａ、８Ｂの夫々に設けた流水検知装置、１６は配管８Ｂに設けた一斉開放弁である。また、１７は平面駐車場３に設置した感知用ヘッド、１８は配管８Ａに設けた一斉開放弁、１９は一斉開放弁１８を開放する自動開放弁、２０は機械式立体駐車場２に設置した感知器、２１は機械式立体駐車場に設置した起動押しボタンである。また、消火薬剤貯蔵タンク６内の消火薬剤は、高発泡と低発泡の両方に使用可能な泡消火薬剤である。
【００２４】
次に本実施例の作用について説明する。
機械式立体駐車場２において火災が発生すると、感知器２０に連動して、或いは起動押しボタン２１の操作によって泡消火装置４が作動を開始する。そして、ポンプ１２をもって貯水槽５内の水１３が圧送され、また一方これと同時に消火薬剤貯蔵タンク６内の消火薬剤が混合器７に送り込まれる。そして混合器７によって水と消火薬剤が比例混合された泡水溶液は、配管８及び分岐した一方側の配管８Ａを通って一斉開放弁１８に至る。一斉開放弁１８は、感知器２０の作動、或いは起動押しボタン２１の操作に連動して自動開放弁１９が開放することにより開放し、泡水溶液は高発泡機９を用いた高発泡消火機器に送出される。そして高発泡機９において空気を含ませて高発泡の泡を生成し、機械式立体駐車場２内に放射するものである。そしてこの泡の充満による空気遮断作用と冷却作用により消火するものである。
【００２５】
また、平面駐車場３において火災が発生すると、感知用ヘッド１７の開放によって、前記と同様に泡消火装置４が作動を開始する。そして混合器７によって水と消火薬剤が比例混合された泡水溶液は、配管８及び分岐した他方側の配管８Ｂを通って一斉開放弁１６に至る。一斉開放弁１６は、感知用ヘッド１７が開放することにより開放し、泡水溶液はフォームヘッド１０、１０、１０・・・を用いた低発泡消火機器に送出される。そしてフォームヘッド１０において空気を含ませて低発泡の泡を生成し、平面駐車場３内に放射するものである。そして、この泡による流動性に優れたフィルム状の膜が火災の表面を覆い、窒息作用と冷却作用により消火するものである。
【００２６】
また、上記実施例においては、本発明に係る泡消火装置を機械式立体駐車場と平面駐車場とが併設された屋内駐車場施設に備えた場合を例にとって示したが、本発明は斯かる場合に限定されるものではなく、平面式商品保管場と棚を備えた立体式商品保管場とが併存する商品倉庫等のような、高発泡消火機器による防護区画と低発泡消火機器による防護区画とが併存する防火対象施設であれば、如何なる場所にも用いることができるものである。
【図面の簡単な説明】
【００２７】
【図１】本発明の実施例に係る泡消火装置の概略的説明図である。
【図２】従来の消火装置の概略的説明図である。
【図３】従来の他の消火装置の概略的説明図である。
【符号の説明】
【００２８】
１  屋内駐車場施設
２  機械式立体駐車場
３  平面駐車場
４  泡消火装置
５  貯水槽
６  消火薬剤貯蔵タンク
７  混合器
８  混合器の二次側配管
８Ａ、８Ｂ  分岐した配管
９  高発泡機
１０  フォームヘッド
１１  減圧弁
１２  ポンプ
１４、１５  流水検知装置
【図１】
2008279157.tif 000003
【図２】
2008279157.tif 000004
【図３】
2008279157.tif 000005